(57)【要約】【課題】使い勝手を向上させた間接活線工法における防護用シート及びその取付方法、並びに防護用シートの取付クリップを提供することを目的とする。【解決手段】本発明にかかる防護用シートの代表的な構成は、充電部を被覆して感電を防止する絶縁シート２１０と、絶縁シート２１０を補強する１以上の芯材２２０、３２０と、芯材２２０、３２０を着脱可能に保持する芯材保持部２２２、３２２と、充電部に被覆した状態で前記絶縁シート２１０を固定する固定部３５２、４００、５００と、を備えることを特徴とする。【選択図】  図２
2010176878.tif 000002
【特許請求の範囲】
【請求項１】
充電部を被覆して感電を防止する絶縁シートと、
前記絶縁シートを補強する１以上の芯材と、
前記芯材を着脱可能に保持する芯材保持部と、
前記充電部に被覆した状態で前記絶縁シートを固定する固定部と、
を備えることを特徴とする防護用シート。
【請求項２】
前記芯材は、板状をなし、
前記芯材保持部は、一辺に面ファスナーにより開閉可能な開口部を有するポケット状であって、前記開口部を介して前記芯材を着脱可能に保持することを特徴とする請求項２に記載の防護用シート。
【請求項３】
前記芯材保持部は、水分を防護用シート外部へ排出するための排水孔を備えることを特徴とする請求項２に記載の防護用シート。
【請求項４】
感電を防止するために電線を挟持して被覆する長尺矩形状の絶縁シートと、
前記絶縁シートを補強するために、長辺近傍に平行にそれぞれ配置された２以上の棒状の芯材と、
前記電線に被覆した状態で前記絶縁シートを固定する固定部と、
を備えることを特徴とする防護用シート。
【請求項５】
前記芯材は、挿入先端部が他の部分より細く形成されている棒状をなし、
前記芯材保持部は、前記芯材を圧入することにより該芯材を保持する両端が開口した筒状をなすことを特徴とする請求項４に記載の防護用シート。
【請求項６】
充電部を巻回して感電を防止する絶縁シートと、
前記絶縁シートの一端に形成される帯状の連結片と、
前記連結片の先端に形成される操作片と、
前記連結片を備えた辺を折り返して仮留めする仮留部と、
前記電線に被覆した状態で前記絶縁シートを固定するために前記連結片を係留する固定部と、
を備えることを特徴とする防護用シート。
【請求項７】
前記固定部は、前記絶縁シートを挟みこむように取付けられるクリップ、一対の面ファスナー、又はその両方であることを特徴とする請求項１から６のいずれか１項に記載の防護用シート。
【請求項８】
充電部を巻回して感電を防止する防護用シートの取付方法であって、
前記防護用シートの一端に形成された帯状の連結片を備えた辺を折り返して仮留めし、
前記辺を仮留めした状態で当該防護用シートを吊り上げて前記充電部に被せ、
前記連結片の先端に形成された操作片を把持して当該防護用シートの仮留めを解除し、
前記操作片を把持して、当該防護用シートを前記充電部に巻回し、
前記連結片を対向する辺の固定部に係留することを特徴とする防護用シートの取付方法。
【請求項９】
充電部を被覆して感電を防止する防護用シートの取付クリップであって、
先端で互いに押圧し、防護用シートを固定する一対のアームと、
遠隔絶縁棒にて把持されることにより前記アームの先端の開閉を行う把持部と、
防護用シートに設けられる芯材を挿通する芯材挿通孔と、
を備えることを特徴とする防護用シートの取付クリップ。
【請求項１０】
充電部を被覆して感電を防止する防護用シートの取付クリップであって、
先端で互いに押圧し、防護用シートを固定する一対のアームと、
遠隔絶縁棒にて把持されることにより前記アームの先端の開閉を行う把持部と、
前記アームの先端に形成され、アーム同士の当接部よりも他方のアーム側に突出する巻込爪と、
を備えることを特徴とする防護用シートの取付クリップ。
【請求項１１】
充電部を被覆して感電を防止する防護用シートの取付クリップであって、
先端で互いに押圧し、防護用シートを固定する一対のアームと、
遠隔絶縁棒にて把持されることにより前記アームの先端の開閉を行う把持部と、
前記アームの先端に形成され、前記防護用シートに設けられたクリップ固定バンドを係留する返し部と、
を備えることを特徴とする防護用シートの取付クリップ。
【請求項１２】
充電部を被覆して感電を防止する防護用シートの取付クリップであって、
先端で互いに押圧し、防護用シートを固定する一対のアームと、
遠隔絶縁棒にて把持されることにより前記アームの先端の開閉を行う把持部と、
前記アーム間を充填する弾性部材と、
を備えることを特徴とする防護用シートの取付クリップ。
【請求項１３】
前記アームは、前記把持部に対して着脱可能に形成されることを特徴とする請求項９から１３のいずれか１項に記載の防護用シートの取付クリップ。
【発明の詳細な説明】
【技術分野】
【０００１】
本発明は、間接活線工法において充電部などを絶縁するために用いられる防護用シート及びその取付方法、並びに防護用シートの取付クリップに関するものである。
【背景技術】
【０００２】
電気事業者の発電所で発電され変電所で変電された電気は、電柱に張架されている高圧線（配電線）を通じて需要家に供給される。かかる高圧線には引下線が接続されており、この引下線を通じて電気を変圧器（柱上変圧器とも呼ばれる）に送っている。そして、電気は、変圧器によって、送電された時の電圧（例えば６６００Ｖ）を、需要家で使用する電圧（例えば１００Ｖ又は２００Ｖ）に変圧され、引込線を通じて需要家に供給される。
【０００３】
このような配電線の工事を行う場合、停電を抑制するために、直接活線工法、間接活線工法などの手法が利用されている。
【０００４】
直接活線工法とは、作業員が保護具を着用した上、電線に防具を取付け、通電した高圧線に直接触れて作業を行う工法である。しかし、この工法では、作業員にかかる身体的負担が多大な上に、雨天時には作業できないといった問題があった。更に、高圧線に直接触れて作業を行うため、たとえ保護具や防具を使用したとしても、人身災害のリスクがあった。
【０００５】
上記問題に鑑みて、近年、直接活線工法よりリスクが低い間接活線工法が広く利用されている。間接活線工法とは、絶縁棒や先端工具を使用し、直接電線の通電部分に触れずに作業を行う工法である。
【０００６】
この工法にて工事を行う場合、労働安全衛生規則第３４２条に規定されている活線近接範囲（当該充電電路に対して頭上距離が３０ｃｍ以内、又は躯側距離もしくは足下距離が６０ｃｍ以内）内に入ってしまう場合も想定されるので、間接活線工法用の防具が使用されている。特に、充電部を被覆して感電を防ぐ防護用シートは、幅広く普及している。この防護用シートは、一般的に、電線の被覆に用いられる防護用シート（以下、電線用の防護用シートと称する）と、碍子など（広範囲）を被覆する際に用いられる防護用シート（以下、広範囲用の防護用シートと称する）の２つに大別される。
【０００７】
例えば、特許文献１には、電線用の防護用シート及びその取付けに用いられる取付クリップが開示されている。この防護用シートは、取付クリップに形成された取付孔にバンド片を挿通し、防護用シートにクリップを固定した上で、遠隔絶縁棒にてこのクリップを把持し、対象とする電線に巻回される。そのため、防護用シートの設置作業を容易に行うことができるとしている。
【０００８】
又、特許文献２には、電線用又は広範囲用の防護用シートが開示されている。この防護用シートは、周縁に芯材を有しており、２つ折りにした状態で充電部に取付けられ、面ファスナー（バンド片）により固定される。そのため、充電部を容易に被覆することができ、且つ全体としての型崩れも防止するとしている。
【０００９】
更に、特許文献３には、広範囲用の防護用シートが開示されている。この防護用シートは、重心近傍に板状の（幅広の）芯材を有しており、外面側シートに設けられた仮留部によって、防護用シートの一端を仮留めした状態で充電部に取付けられる。そして、把持部を把持して仮留めを解除し、内面側シートに設けられた接着部を互いに接着させることで防護用シートを固定する。そのため、型崩れを防止し、防護用シートの設置作業を容易に行うことができるとしている。
【先行技術文献】
【特許文献】
【００１０】
【特許文献１】特開平１０−２７１６２８号公報
【特許文献２】実開平０７−００９０１１号公報
【特許文献３】特開２００７−６０７９３号公報
【発明の概要】
【発明が解決しようとする課題】
【００１１】
しかしながら、特許文献１の取付クリップは、確かにある程度は防護用シートにクリップを確実に固定できるものの、防護用シートは長尺でかつ可撓性を有するものであるから、クリップを開いたとしても折りたたまれた状態の防護用シートを確実に開くことができるとは限らない。また、クリップのアームの隙間よりも電線が太ければ確実に挟持できるものの、電線が細い場合には挟持する力が不十分になり、防護用シートがずり落ちてしまうおそれがあった。そこで、使い勝手向上のための更なる改良が望まれている。
【００１２】
又、特許文献２の防護用シートは、周縁に芯材が設けられ曲がりにくくなっている（防護用シートを補強している）が、かかる構成では電線を挟んで被覆する際に芯材を曲げて固定する（補強された部分をあえて曲げる）こととなる。たとえ、折り目に芯材を配置しないとしても、充電部を挟持する際に芯材によって補強された部分と充電部が当接することとなるので、充電部を巻回する際に芯材を曲げて固定することとなる。したがって必然的に芯材は相当の可撓性を有するものであることが必要となり、補強するには弱く、巻回するには硬いということになってしまい、いずれの目的にも不十分になってしまうおそれがあった。
【００１３】
更に、特許文献３の防護用シートは、重心近傍に板状の芯材を装備して防護用シートが広がるように構成されている。したがって引き留め部のように大きなものを覆う際には便利がよいが、電線単体や引き通し部のように細い形状の部分を覆う際には巻回しにくい場合がある。したがって、より柔軟に様々な形状の充電部を被覆しうるように、使い勝手向上のためのさらなる改良が望まれている。
【００１４】
更に申し添えるならば、特許文献３の防護用シートは、把持部を把持して仮止めを解除した上で、あらためて別箇所の接着部を把持して接着することにより防護用シートを固定する必要がある。作業者は不自由な遠隔絶縁棒にて作業を行っているため、更に簡略的に取付けられる防護用シートの提供が望まれた。
【００１５】
本発明は、このような課題に鑑み、使い勝手を向上させた間接活線工法における防護用シート及びその取付方法、並びに防護用シートの取付クリップを提供することを目的とする。
【課題を解決するための手段】
【００１６】
上記課題を解決するために、本発明にかかる防護用シートの代表的な構成は、充電部を被覆して感電を防止する絶縁シートと、絶縁シートを補強する１以上の芯材と、芯材を着脱可能に保持する芯材保持部と、充電部に被覆した状態で絶縁シートを固定する固定部と、を備えることを特徴とする。
【００１７】
上記構成によれば、芯材を着脱可能な構成としたことにより、防護用シートに剛性が必要なければ取外すことができる。したがって芯材には可撓性が必要なく、芯材を取付ければ防護用シートに所望の剛性を持たせることができ、直線部や大きな部材に被せる際の利便性が向上する。また芯材を取外せば防護用シートの可撓性（柔軟性）を高めることができ、曲線部や細い形状を覆う際に充電部の形状に自由に倣わせることができる。
【００１８】
芯材は、板状をなし、芯材保持部は、一辺に面ファスナーにより開閉可能な開口部を有するポケット状であって、開口部を介して芯材を着脱可能に保持するとよい。かかる構成によれば、広範囲用の防護用シートにおいて好適に芯材を取付け（取外し）できる。
【００１９】
芯材保持部は、水分を防護用シート外部へ排出するための排水孔を備えるとよい。これにより、仮に開口部から雨水が浸入しても、早期に排出されて乾燥させることができる。
【００２０】
上記課題を解決するために、本発明にかかる防護用シートの他の代表的な構成は、感電を防止するために電線を挟持して被覆する長尺矩形状の絶縁シートと、絶縁シートを補強するために、長辺近傍に平行にそれぞれ配置された２以上の棒状の芯材と、電線に被覆した状態で絶縁シートを固定する固定部と、を備えることを特徴とする。
【００２１】
かかる構成によれば、電線と平行に棒状の芯材を配置することで、防護用シートを巻回（挟持）する際に折りたたまれた防護用シートを確実に開くことができる。
【００２２】
芯材は、挿入先端部が他の部分より細く形成されている棒状をなし、芯材保持部は、芯材を圧入することにより芯材を保持する両端が開口した筒状をなすとよい。かかる構成によれば、単に防護用シートに対して挿抜するのみによって芯材の着脱を行うことができ、極めて簡便に着脱作業を行うことができる。したがって状況に応じて（取付ける充電部の形状に応じて）防護用シートの剛性を自在に切り替えることができる。
【００２３】
上記課題を解決するために、本発明にかかる防護用シートの他の代表的な構成は、充電部を巻回して感電を防止する絶縁シートと、絶縁シートの一端に形成される帯状の連結片と、連結片の先端に形成される操作片と、連結片を備えた辺を折り返して仮留めする仮留部と、電線に被覆した状態で絶縁シートを固定するために連結片を係留する固定部と、を備えることを特徴とする。
【００２４】
かかる構成によれば、防護用シートを仮留部に仮留めして垂下する長さを少なくすることができると共に、この防護用シートを吊り上げて充電部に被せた後、一つの操作片を把持して、持ち替えることなく仮留めの解除及び連結片の係留の両方を行うことができる。したがって、容易かつ迅速に防護用シートを巻回できる。
【００２５】
固定部は、絶縁シートを挟みこむように取付けられるクリップ、一対の面ファスナー、又はその両方であるとよい。これにより、好適に防護用シートを充電部に被覆し、また取外すことができる。
【００２６】
上記課題を解決するために、本発明にかかる防護用シートの取付方法の代表的な構成は、充電部を巻回して感電を防止する防護用シートの取付方法であって、防護用シートの一端に形成された帯状の連結片を備えた辺を折り返して仮留めし、その辺を仮留めした状態で防護用シートを吊り上げて充電部に被せ、連結片の先端に形成された操作片を把持して防護用シートの仮留めを解除し、操作片を把持して、防護用シートを充電部に巻回し、連結片を対向する辺の固定部に係留することを特徴とする。
【００２７】
上述した防護用シートにおける技術的思想に対応する構成要素やその説明は、当該防護用シートの取付方法にも適用可能である。
【００２８】
上記課題を解決するために、本発明にかかる防護用シートの取付クリップの代表的な構成は、先端で互いに押圧し、防護用シートを固定する一対のアームと、遠隔絶縁棒にて把持されることによりアームの先端の開閉を行う把持部と、防護用シートに設けられる芯材を挿通する芯材挿通孔と、を備えることを特徴とする。
【００２９】
上記の構成によれば、取付クリップは芯材を挿通するので、取付クリップを開閉すると防護用シートを確実に開閉することができ、容易に充電部に取付けることができる。
【００３０】
上記課題を解決するために、本発明にかかる防護用シートの取付クリップの他の代表的な構成は、先端で互いに押圧し、防護用シートを固定する一対のアームと、遠隔絶縁棒にて把持されることによりアームの先端の開閉を行う把持部と、アームの先端に形成され、アーム同士の当接部よりも他方のアーム側に突出する巻込爪と、を備えることを特徴とする。
【００３１】
かかる構成によれば、巻込爪は、取付クリップを防護用シートに取付ける際には防護用シート（及び防護用シートが被覆している充電部）を手繰り寄せる作用を担い、取付クリップを防護用シートに挟持している際には防護用シート（及び防護用シートが被覆している充電部）の脱落防止作用を担う。これにより、好適に防護用シートを充電部に固定できる。
【００３２】
上記課題を解決するために、本発明にかかる防護用シートの取付クリップの他の代表的な構成は、先端で互いに押圧し、防護用シートを固定する一対のアームと、遠隔絶縁棒にて把持されることによりアームの先端の開閉を行う把持部と、アームの先端に形成され、防護用シートに設けられたクリップ固定バンドを係留する返し部と、を備えることを特徴とする。
【００３３】
かかる構成によれば、返し部は、アームの先端がクリップ固定バンドから抜け落ちてしまうことを防止することができる。また先端側のみに返し部を設けることにより、アームにクリップ固定バンドを巻回しやすいため、好適に防護用シートに取付クリップを固定することができる。
【００３４】
上記課題を解決するために、本発明にかかる防護用シートの取付クリップの他の代表的な構成は、先端で互いに押圧し、防護用シートを固定する一対のアームと、遠隔絶縁棒にて把持されることによりアームの先端の開閉を行う把持部と、アーム間を充填する弾性部材と、を備えることを特徴とする。
【００３５】
かかる構成によれば、アーム間の空間は密になるため、いかに細い電線であっても確実に挟持することができる。また電線が太い場合には弾性部材が撓むと共にアームが若干開く（閉じきらない）ことにより、やはり確実に挟持することができる。すなわち、電線の太さに対する防護用シートの適用範囲を拡大することができる。
【００３６】
アームは、把持部に対して着脱可能に形成されるとよい。これにより、バネや開閉機構を有する把持部を共通部材として使うことができるので、生産コストや維持コストの低減を図ることができる。
【発明の効果】
【００３７】
本発明によれば、使い勝手を向上させた間接活線工法における防護用シート及びその取付方法、並びに防護用シートの取付クリップを提供できる。
【図面の簡単な説明】
【００３８】
【図１】間接活線工法における配電線の工事現場を示す図である。
【図２】第１実施形態にかかる防護用シートを示す図である。
【図３】第１実施形態にかかる防護用シートの取付クリップを示す図である。
【図４】第１実施形態にかかる防護用シートに取付クリップを取付ける様子を説明する図である。
【図５】第１実施形態にかかる防護用シートの使用態様図である。
【図６】第２実施形態にかかる防護用シート示す図である。
【図７】第２実施形態にかかる防護用シートの芯材の形状例を示す図である。
【図８】第２実施形態にかかる防護用シートの大型の取付クリップを示す図である。
【図９】第２実施形態にかかる防護用シートの取付方法を示す図である。
【図１０】取付クリップ及び大型の取付クリップの構造を説明する図である。
【発明を実施するための形態】
【００３９】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、又本発明に直接関係のない要素は図示を省略する。
【００４０】
図１は、間接活線工法における配電線の工事現場を示す図である。図１に示すように、電柱１００には、腕金１１４が取付けられており、腕金１１４には絶縁体である複数の碍子１１６が設置されている。碍子１１６は、高圧線１１０を支持しており、かかる高圧線１１０によって発電所（図示せず）で発電され変電所（図示せず）で変電された電気が送電されている。
【００４１】
高圧線１１０を流れる電気は、高圧線１１０から分岐された引下線１１２によって変圧器１２０に送電される。変圧器１２０は電柱１００に装柱されており、送電された時の電圧、例えば６６００Ｖを、需要家で使用する電圧、例えば１００Ｖ又は２００Ｖに変圧する。
【００４２】
間接活線工法では遠隔絶縁棒１９０を用いて配電線工事が行われる。しかし、引下線１１２や碍子１１６付近の高圧線１１０には依然として高い危険性がある。即ち、作業する位置によっては、労働安全衛生規則第３４２条で規定されている活線近接範囲（当該充電電路に対して頭上距離が３０ｃｍ以内、又は躯側距離もしくは足下距離が６０ｃｍ以内）内に入ることも想定される。
【００４３】
故に、電柱１００の充電部を絶縁するために、防護用シート２００、３００が用いられる。防護用シート２００は、電線用の防護用シートであり、防護用シート３００は、広範囲用の防護用シートである。防護用シート２００には取付クリップ４００が、防護用シート３００には取付クリップ５００が取付けられる。以下、防護用シート２００、３００、及び取付クリップ４００、５００について詳述する。
【００４４】
（第１実施形態）
本発明にかかる防護用シート及びその取付方法、並びに防護用シートの取付クリップの第１実施形態について説明する。図２は、第１実施形態にかかる防護用シート２００を示す図である。特に、図２（ａ）は防護用シート２００の絶縁シート２１０の外面２１２を示す図、図２（ｂ）は防護用シート２００の絶縁シート２１０の内面２１４を示す図である。以下、図２を用いて防護用シート２００の構成を詳述する。
【００４５】
防護用シート２００は、絶縁シート２１０、芯材２２０、芯材保持部２２２、クリップ固定バンド２４０、面ファスナー２４２、固定部の例としての取付クリップ４００（図１参照）から構成される。本実施形態にかかる防護用シート２００は、高圧線１１０や引下線１１２などの電線の絶縁に用いられる。
【００４６】
絶縁シート２１０は、電線に対して外側に配置される外面２１２と電線に当接する内面２１４とを有し、長尺矩形状に形成される。又、電線を絶縁するために、およそ２００００Ｖの電圧耐性能が要求される。そのため、好適には、高い絶縁性を有するエチレンビニールアセテイト（ＥＶＡ）をコーティングした合成繊維布を好適に用いることができる。エチレンビニールアセテイトは、特に、気泡を含まず均一に形成されたものが防水性を備えるため好適である。
【００４７】
絶縁シート２１０の外面２１２には、両端が開口した筒状の芯材保持部２２２が形成されている。さらに図に示すように、芯材保持部２２２は直線上に断続的に複数に分かれて設けられていてもよい。芯材保持部２２２は、それぞれの長辺近傍に平行に配置されており、芯材２２０を装着することにより、防護用シート２００の長辺の剛性を高めるためにある。
【００４８】
芯材２２０は棒状の長尺部材であって、芯材保持部２２２に容易に挿抜できるように、挿入先端部２２０ａが他の部分より細い棒状に形成される。芯材の材質としては、剛性が高く、かつ軽いものが好ましく、ポリプロピレンなどの樹脂を用いることができる。
【００４９】
芯材保持部２２２は可撓性を有するシートを筒状にすることによって構成することができる。また芯材２２０の太さ（径）と芯材保持部２２２の穴の太さ（断面積）は概ね同じに形成されており、単に芯材２２０を芯材保持部２２２に挿入することによって脱落することなく保持される。これにより、単に防護用シート２００に対して挿抜するのみで芯材２２０の着脱を行うことができ、極めて簡便に着脱作業を行うことができる。したがって状況に応じて（取付ける充電部の形状に応じて）防護用シートの剛性を自在に切り替えることができる。
【００５０】
又、芯材２２０が防護用シート２００の長辺近傍に配置されている事から、防護用シート２００を高圧線１１０や引下線１１２といった電線の上から覆い被せる際に先端がくしゃくしゃに折れ曲がってしまうことを防ぎ、引下線１１２が直線的である場合に容易に取付けることができる。また、引下線１１２等がもし湾曲している場合には、芯材２２０を抜いて取付けることにより、防護用シート２００はいかなる曲線にも沿うことができ、円滑に取付を行うことができる。
【００５１】
なお、図２では防護用シート２００に芯材２２０を２本取付けているが、当然かかる構成に限定されることなく、芯材保持部２２２を複数設けて、芯材２２０の本数、芯材２２０の配置場所、及び芯材２２０の材質などを適宜選択してよい。芯材２２０の本数を増やせば、防護用シート２００に所望の剛性を持たせることができ、直線部や大きな部材に被せる際の利便性が向上する。逆に、芯材２２０の本数を減らせば、防護用シート２００の可撓性（柔軟性）を高めることができ、曲線部や細い形状を覆う際に充電部の形状に自由に倣わせることができる。
【００５２】
絶縁シート２１０の外面２１２には、取付クリップ４００を固定するクリップ固定バンド２４０が設けられる。クリップ固定バンド２４０は略中央が外面２１２に固定され、両端が自由端となっており、その両端に一対の面ファスナー２４２を備えている。そしてクリップ固定バンド２４０を取付クリップ４００のアーム４０２に巻いて、両端の面ファスナー２４２を固定することにより、取付クリップ４００を防護用シート２００に取付けることができる。なお、クリップ固定バンド２４０に関しても耐電性を有することが望まれ、好適には、絶縁シート２１０と同様の材質で形成される。
【００５３】
図３は、本実施形態にかかる防護用シート２００の取付クリップ４００を示す図である。取付クリップ４００は、一対のアーム４０２、把持部４０４、芯材挿通孔４１０、巻込爪４２０、返し部４３０、弾性部材４４０から構成される。
【００５４】
一対のアーム４０２は対象に形成されており、先端で互いに押圧している。このアーム４０２の先端は、把持部４０４を把持することで開口する。なお後述するように、アーム４０２は、把持部４０４に対して着脱可能に形成されている。
【００５５】
把持部４０４は、遠隔絶縁棒１９０にて把持され、アーム４０２の先端の開閉を行う。そのため、遠隔絶縁棒１９０にて把持される部分に、滑止部材を有する事が望ましく、例えば、滑止ゴムを設けることができる。
【００５６】
芯材挿通孔４１０はアーム４０２の先端近傍に設けられた孔であって、防護用シート２００の芯材２２０を挿通する。これにより、取付クリップ４００を開閉するとシート材を介することなく芯材２２０に力を伝達することができる。故に、取付クリップ４００を開閉すると防護用シート２００を確実に開閉することができ、容易に充電部に取付けることができる。
【００５７】
巻込爪４２０は、アーム４０２の先端に形成され、アーム４０２同士の当接部よりも他方のアーム４０２側に突出する。この構造により、防護用シート２００に取付ける際には防護用シート２００（及び防護用シート２００が被覆している充電部）を手繰り寄せる作用を担う。また、取付クリップを防護用シート２００に挟持している際には防護用シート２００（及び防護用シート２００が被覆している充電部）の脱落防止作用を担う。これにより、好適に防護用シート２００を充電部に固定できる。
【００５８】
返し部４３０は、防護用シート２００に設けられたクリップ固定バンド２４０を係留する。これにより、アーム４０２の先端がクリップ固定バンド２４０から抜け落ちてしまうことを防止することができる。なお、先端側のみに返し部を設けることにより、アーム４０２にクリップ固定バンド２４０を巻回しやすいため、好適に防護用シート２００に取付クリップ４００を固定することができる。
【００５９】
弾性部材４４０は、アーム４０２の内側に取付けられ、アーム４０２同士の隙間を充填している。弾性部材４４０としては強い弾発力が要求されるわけではなく、むしろ低反発（復元力が低いもの）であるものが好ましい。具体的には、例えば、ポリウレタンクッションを使用することができる。これにより、アーム間の空間は密になるため、いかに細い電線であっても確実に挟持することができる。また電線が太い場合には弾性部材が撓むと共にアーム４０２が若干開く（閉じきらない）ことにより、やはり確実に挟持することができる。すなわち、電線の太さに対する防護用シート２００の適用範囲を拡大することができる。
【００６０】
図４は、本実施形態にかかる防護用シート２００に取付クリップ４００を取付ける様子を説明する図である。図４（ａ）に示すように、まず長尺の防護用シート２００を短辺方向に２つ折りにし（さらに細くなるように折りたたむ）、折り目の背中側から取付クリップ４００で挟み込む。
【００６１】
そして図４（ｂ）に示すように、取付クリップ４００のアーム４０２をクリップ固定バンド２４０で巻いて、面ファスナー２４２を固定することにより、取付クリップ４００を防護用シート２００に取付けることができる。ここで芯材保持部２２２は取付クリップ４００の取付け位置において不連続となっており、固定された取付クリップ４００の芯材挿通孔４１０が芯材保持部２２２の延長上に位置する。そこで芯材２２０を芯材保持部２２２と芯材挿通孔４１０に挿通させることにより、芯材２２０が取付けられる。
【００６２】
すると図４（ｃ）に示すように、取付クリップ４００の把持部４０４を把持してアーム４０２を開くと、防護用シート２００の合わせ目が開く。このとき芯材２２０が芯材挿通孔４１０に挿通されていることから、防護用シート２００を確実に開閉することができ、容易に充電部に取付けることができる。
【００６３】
図５は、本実施形態にかかる防護用シート２００の使用態様図である。作業員は、上記のようにして芯材２２０および取付クリップ４００を取付けた防護用シート２００を準備し、遠隔絶縁棒１９０を用いて把持部４０４を把持する。すると防護用シート２００を持ち上げると同時に、折りたたまれた防護用シート２００の合わせ目が開く。そして引下線１１２に防護用シート２００を覆い被せて、把持部４０４を離すことにより、それだけで設置が完了する。ここで上述したように、引下線１１２が直線的であれば芯材２２０を使用し、湾曲していれば芯材２２０を使用しないことにより、いずれの場合も極めて容易に防護用シート２００の取付けを行うことができ、使い勝手を飛躍的に向上させることができる。
【００６４】
（第２実施形態）
本発明にかかる防護用シート及びその取付方法、並びに防護用シートの取付クリップの第２実施形態について説明する。上記第１実施形態と説明の重複する部分については同一の符号を付して説明を省略する。図６は、第２実施形態にかかる防護用シート３００を示す図である。特に、図６（ａ）は防護用シート３００の絶縁シート２１０の外面２１２を示す図、図６（ｂ）は防護用シート３００の絶縁シート２１０の内面２１４を示す図である。又、図７は、本実施形態にかかる防護用シート３００の芯材３２０の形状例を示す図である。以下、図６及び図７を用いて防護用シート３００の構成を詳述する。
【００６５】
防護用シート３００は、絶縁シート２１０、芯材３２０、芯材保持部３２２、芯材保持部３２２内に設けられた面ファスナー３２４、排水孔３２６、クリップ固定バンド２４０、面ファスナー２４２、固定部の例としての大型の取付クリップ５００、連結片３５０、固定部の例としての面ファスナー３５２、仮留部の例としての面ファスナー３５４、操作片３６０、把持片３７０、から構成される。本実施形態にかかる防護用シート３００は第１実施形態に示した防護用シート２００よりも幅広い形状に形成されており、碍子１１６などを広範囲に被覆する際に用いられる。
【００６６】
絶縁シート２１０は、上述したように、外面２１２と内面２１４とからなり、電線を絶縁するために、およそ２００００Ｖの電圧耐性能を備える。
【００６７】
絶縁シート２１０の内面２１４には、１辺が面ファスナー３２４により開閉可能な開口部３２２ａを有するポケット状の芯材保持部３２２が形成されている。芯材保持部３２２は、ポケットの頂点付近に、排水孔３２６を備えている。
【００６８】
排水孔３２６は、芯材保持部３２２に侵入した水を外部へ排出するために設けられる。これにより、仮に開口部３２２ａから雨水が浸入しても、早期に排出されて乾燥させることができる。
【００６９】
芯材３２０は、面ファスナー３２４により、着脱可能に芯材保持部３２２に配置される。本実施形態において芯材３２０は板状部材である。芯材３２０の材質としては、ポリプロピレンやポリエチレンなどの樹脂を用いることができる。上述した構成によれば、広範囲用の防護用シート３００において好適に芯材３２０を着脱することができる。
【００７０】
図７は芯材３２０の形状例を示す図である。図７（ａ）に示すように、単に板状の芯材３２０ａを充電部の形状により適宜取付け（取外し）してもよい。又、図７（ｂ）に示すように、分割された芯材３２０ｂを用いてもよい。これにより、芯材３２０ｂを防護用シート３００から取外すことなく、好適に折りたたんで収納することができる。又、分割される例としては、図７（ｃ）に示すように棒状の芯材３２０ｃを用いることもできる。又、充電部の形状に適合するように調整してもよく、図７（ｄ）の芯材３２０ｄは、その一例である。すなわち、かかる例に限定されることなく、芯材の形状、材質、本数、配置場所などは、被覆対象である充電部や収納方法にあわせて適宜設定してよい。
【００７１】
面ファスナー３５４は、防護用シート３００を充電部に被覆する際に仮留めするために使用する。具体的には、防護用シート３００の外面２１２に２以上の面ファスナー３５４を設けることにより、防護用シート３００の一片をたくし上げた状態で保持する。これにより防護用シート３００の垂下する長さを少なくすることができ、吊り下げて充電部に被せる際に持ち上げる高さを低減させることができる。
【００７２】
本実施形態にかかる防護用シート３００は、固定部の例として、面ファスナー３５２と、図８に示すような大型の取付クリップ５００とを採用している。
【００７３】
面ファスナー３５２は、防護用シート３００から突出した帯状の連結片３５０上に設けられる。連結片３５０の先端にはループ状（環状）の操作片３６０が形成されており、この操作片３６０を遠隔絶縁棒１９０にて把持して、面ファスナー３５２をその連結片３５０に対向する辺の外面２１２の縁近傍に設けられた面ファスナー３５４に固定し、連結片３５０を係留する。
【００７４】
遠隔絶縁棒１９０を用いて作業を行う間接活線工法は不自由であるため、できるだけ操作が少なく簡略であることが望ましい。ここで本実施形態にかかる防護用シート３００は、防護用シート３００を吊り上げて充電部に被せた後、一つの操作片３６０を把持して、持ち替えることなく仮留めの解除及び連結片３５０の係留の両方を行うことができる。したがって、容易かつ迅速に防護用シート３００を巻回できる。
【００７５】
把持片３７０は防護用シート３００の外面２１２に設けられたループ状の帯状体である（図９参照）。把持片３７０は、防護用シート３００の重心近傍や、防護用シート３００を中央で折った際の稜線の位置に配置されている。これにより、把持片３７０を遠隔絶縁棒１９０で把持してもバランスを崩すことなく取付けを行うことができる。
【００７６】
図８は、本実施形態にかかる防護用シート３００の大型の取付クリップ５００を示す図である。大型の取付クリップ５００は、防護用シート３００を充電部に被覆した後に、外面２１２を挟みこむように取付けられる。これにより、防護用シート３００がずり落ちたり、強風によって防護用シート３００が吹き飛ばされてしまうのを防止するものである。
【００７７】
大型の取付クリップ５００は、一対のアーム５０２、把持部４０４、滑落防止部材５４０から構成される。一対のアーム５０２は、先端で互いに押圧しており、対象に形成されている。このアーム５０２の先端は、把持部４０４を把持することで開口する。
【００７８】
滑落防止部材５４０はアーム５０２の内面に貼着されており、例えば、滑止ゴムを用いることができる。これにより、取付クリップ５００が防護用シート３００から脱落してしまうことを防止する。
【００７９】
図９は、本実施形態にかかる防護用シート３００の取付方法を示す図である。図９（ａ）に示すように、防護用シート３００は、面ファスナー３５４により仮留めされた状態で把持片３７０を把持され、充電部に取付けられる。仮留めを行うことで、垂下する長さを少なくすることができるので、防護用シート３００を上から容易に覆い被せることができる。
【００８０】
次に、図９（ｂ）に示すように、覆い被せられた防護用シート３００の操作片３６０を把持して、仮留めの解除及び連結片３５０の係留を行う。本実施形態によれば、一つの操作片３６０を把持して、持ち替えることなく仮留めの解除及び連結片の係留３５０の両方を行うことができるので、容易かつ迅速に防護用シートを巻回できる。
【００８１】
最後に、図９（ｃ）に示すように、大型の取付クリップ５００を取付ける。これにより、強風などによって防護用シート３００が吹き飛ばされてしまうのを防止している。
【００８２】
以上、本実施形態によれば、芯材３２０は着脱可能なので、防護用シート３００に剛性が必要なければ取外すことができる。したがって芯材３２０には可撓性が必要なく、剛性の高いものとすることができる。これにより芯材３２０を取付ければ防護用シートに所望の剛性を持たせることができ、直線部や大きな部材に被せる際の利便性が向上する。また芯材３２０を取外せば防護用シート３００の可撓性（柔軟性）を高めることができ、曲線部や細い形状を覆う際に充電部の形状に自由に倣わせることができる。これらのことから、防護用シートの使い勝手を飛躍的に向上させることができる。
【００８３】
なお、図１０は、取付クリップ４００及び大型の取付クリップの構造を説明する図である。図１０に示すように、先に説明した取付クリップ４００と大型の取付クリップ５００は、いずれもアーム４０２、５０２が把持部４０４に対して着脱可能に形成されている。これにより、把持部を共通部材として使うことができるので、生産コストや維持コストの低減を図ることができる。
【００８４】
以上、本発明の好適な実施形態について詳細に説明したが、本発明はかかる実施形態に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００８５】
本発明は、間接活線工法において充電部などを絶縁するために用いられる防護用シート及びその取付方法、並びに防護用シートの取付クリップとして利用可能である。
【符号の説明】
【００８６】
１００…電柱、１１０…高圧線、１１２…引下線、１１４…腕金、１１６…碍子、１２０…変圧器、１９０…遠隔絶縁棒、２００…防護用シート、２１０…絶縁シート、２１２…外面、２１４…内面、２２０…芯材、２２２…芯材保持部、２４０…クリップ固定バンド、２４２…面ファスナー、３００…防護用シート、３２０…芯材、３２２…芯材保持部、３２４…面ファスナー、３２６…排水孔、３５０…連結片、３５２…面ファスナー、３５４…面ファスナー、３６０…操作片、３７０…把持片、４００…取付クリップ、４０２…アーム、４０４…把持部、４１０…芯材挿通孔、４２０…巻込爪、４３０…返し部、４４０…弾性部材、５００…大型の取付クリップ、５０２…アーム、５４０…脱落防止部材
【図１】
2010176878.tif 000003
【図２】
2010176878.tif 000004
【図３】
2010176878.tif 000005
【図４】
2010176878.tif 000006
【図５】
2010176878.tif 000007
【図６】
2010176878.tif 000008
【図７】
2010176878.tif 000009
【図８】
2010176878.tif 000010
【図９】
2010176878.tif 000011
【図１０】
2010176878.tif 000012